(57)【特許請求の範囲】
【請求項１】
食器などの被洗浄物を洗浄する洗浄室と、この洗浄室に設けられ、被洗浄物に洗浄水を噴射する洗浄ノズルと、この洗浄ノズルへ供給する洗浄水を貯留し、一部切り欠きを有するフランジが後端に形成された洗浄タンクと、この洗浄タンクのフランジに載置され、前記洗浄室と洗浄タンクとを仕切る洗浄タンクフィルターと、前記洗浄タンクと洗浄ノズルを接続し、前記洗浄室内の背面に位置する洗浄水供給管と、この洗浄水供給管が挿通し、前記洗浄タンクのフランジに形成された切り欠きを覆い、洗浄タンクのフランジ、洗浄タンクフィルターと共に、洗浄室と洗浄タンクとを仕切る仕切板とを備えたことを特徴とする食器洗浄機。
【請求項２】
洗浄水供給管は、洗浄室背面のほぼ中央部に位置して上下方向へ延在することを特徴とする請求項１記載の食器洗浄機。
【発明の詳細な説明】
【０００１】
【発明の属する技術分野】
本発明は、食器などの被洗浄物を洗浄する食器洗浄機に関する。
【０００２】
【従来の技術】
従来、この種食器洗浄機として、特開平６−１０９５１８号公報（Ａ４７Ｌ１５／４２）には、洗浄機本体内に設置された食器に対して洗浄水タンクに貯留された洗浄水を噴射することにより食器の洗浄を行なう食器洗浄機が開示されている。
【０００３】
そして、この食器洗浄機は、洗浄室を画成する内箱と、食器洗浄機の外装を形成する外箱との間に洗浄水の供給管を設けている。
【０００４】
【発明が解決しようとする課題】
この様な従来技術の食器洗浄機では、内箱の接合部分などから内外両箱間に水が漏れてしまう恐れがある。
【０００５】
従って、この内外両箱間に生じる多量の水により、その周辺が不衛生となる問題があり、清掃もできないものであった。更に、この様な内外両箱間に供給管が位置していると、供給管のメンテナンス作業性や交換作業性も極めて悪いものである。
【０００６】
そして、供給管を洗浄室内に配置する場合、洗浄室と洗浄タンクとを跨いで供給管が配管されるため、洗浄室と洗浄タンクの仕切部分で、供給管との間に隙間が生じてしまうと、洗浄室の被洗浄物から落ちた大きな残滓などが洗浄タンク内に入ってしまう可能性がある。
【０００７】
本発明は上述した問題点に鑑みてなされたもので、洗浄水供給管の周辺を衛生的に保つと共に、メンテナンス作業性や交換作業性の向上を図り、更には洗浄室と洗浄タンクとを確実に仕切る事を目的とした食器洗浄機を提供する。
【０００８】
【課題を解決するための手段】
上記目的を達成するための手段として、本発明の請求項１では、食器などの被洗浄物を洗浄する洗浄室と、この洗浄室に設けられ、被洗浄物に洗浄水を噴射する洗浄ノズルと、この洗浄ノズルへ供給する洗浄水を貯留し、一部切り欠きを有するフランジが後端に形成された洗浄タンクと、この洗浄タンクのフランジに載置され、前記洗浄室と洗浄タンクとを仕切る洗浄タンクフィルターと、前記洗浄タンクと洗浄ノズルを接続し、前記洗浄室内の背面に位置する洗浄水供給管と、この洗浄水供給管が挿通し、前記洗浄タンクのフランジに形成された切り欠きを覆い、洗浄タンクのフランジ、洗浄タンクフィルターと共に、洗浄室と洗浄タンクとを仕切る仕切板とを備えた食器洗浄機を提供する。
【０００９】
この様に、洗浄水供給管を洗浄室内に配置したため、洗浄水供給管は容易に清掃する事ができる。更に、洗浄タンクフィルター、洗浄タンクのフランジ、洗浄水供給管が挿通する仕切板とによって、洗浄室と洗浄タンクとを仕切る事ができるため、洗浄室の被洗浄物から落ちたある程度大きい残滓は、確実に洗浄タンクフィルターで受ける事ができる。
【００１０】
また、請求項２の発明では、洗浄水供給管は、洗浄室背面のほぼ中央部に位置して上下方向へ延在する請求項１記載の食器洗浄機を提供する。
【００１１】
この様に、洗浄水供給管は洗浄室の背面のほぼ中央部に位置しているため、この洗浄水供給管をラックストッパーの代わりとして用いる事ができる。
【００１２】
【発明の実施の形態】
以下、本発明の実施の形態を図面に基づいて説明する。
図１は本発明を具備する食器洗浄機の斜視図、図２は本発明を具備する食器洗浄機のパネルを外した状態の正面図、図３は食器洗浄機の正面からの縦側断面図、図４は食器洗浄機の側面からの縦側断面図、図５は洗浄室の平断面図、図６は機械室の平断面図、図７は洗浄ポンプの取付状態を示す洗浄タンクの拡大図、図８は洗浄ポンプの平面図、図９は食器洗浄機の洗浄室扉開時の縦側断面図、図１０は食器洗浄機の洗浄室扉閉塞時の縦側断面図、図１１は他の実施形態を示す食器洗浄機の洗浄室扉開時の縦側断面図、図１２は他の実施形態を示す食器洗浄機の洗浄室扉閉塞時の縦側断面図である。
【００１３】
図１乃至図４における１は本発明を具備する食器洗浄機で、前面が開口するステンレス製の箱体にて画成され、被洗浄物を洗浄する洗浄室２と、この洗浄室２の下に形成され、洗浄タンク４、すすぎタンク５、電装箱６などを備える機械室３とより構成されている。尚、１Ａは食器洗浄機１を支持する台脚であり、食器洗浄機１の高さを８００ｍｍ〜８５０ｍｍの範囲で高さ調整可能となっている。
【００１４】
また、この食器洗浄機１の前面上部には上部パネル７が設けられており、この上部パネル７の右側には、食器洗浄機１の運転を制御するため、前記電装箱６と接続されたコントロールパネル８が設けられている。
更に、前記洗浄室２の前面であって、前記上部パネル７の下方には、開口を開閉自在に閉塞する洗浄室扉９が設けられ、この洗浄室扉９の上部には把手９Ａが設けられている。そして、前記機械室３の前面にも機械室パネル１０が着脱可能に取り付けられている。
【００１５】
更にまた、食器洗浄機１の天面にはステンレス製の天板１１が設けられており、この天板１１には、天板１１上で被洗浄物の水滴の拭き取り作業などが可能な様に窪部１１Ａが形成されている。そして、この窪部１１Ａの隅には、図示しないが、被洗浄物などから滴下した水を排水するため、排水穴が形成されている。従って、窪部１１Ａを排水穴方向に緩い傾斜状とし、窪部１１Ａに水が溜まる事を防止する様にしても良い。
【００１６】
また、図２及び図３、図５に示す如く、前記洗浄室２の下部の左右両側には、被洗浄物を載置したラック１２を載置するため、断面ほぼＬ字状で対向位置するラックレール１３が設けられている。更に、この洗浄室２の上下には、前記ラックレール１３を挟んで相対向する回転自在な上下洗浄ノズル１４Ａ、１４Ｂと、この上下洗浄ノズル１４Ａ、１４Ｂの内側、即ち、ラックレール１３側に設けられ、上下に対向位置する回転自在な上下すすぎノズル１５Ａ、１５Ｂが設けられている。
【００１７】
更に、前記洗浄室２内の天部には、左右に傾斜するステンレス製の水案内板１６が設けられており、この水案内板１６により、洗浄後の被洗浄物に水滴が滴下してしまう事を極力防止できる。
【００１８】
次に、図２乃至図５に示す如く、前記洗浄タンク４は、上面が開口し、底板４Ａの凹凸を極力少なくした箱体にて形成され、薄型としている。即ち、洗浄タンク４の面積を前記洗浄室２とほぼ同じ面積とし、且つ、深さを全域においてほぼ同等とし、その全域に洗浄水を貯留するよう構成した。
【００１９】
これにより、水位を低くしても、洗浄水の表面積が増加するため、従来であれば一部の深い部分に約１４リットルの洗浄水しか貯留できなかったのに対して、本実施形態の薄型洗浄タンク４では、約２０リットルの洗浄水を貯留する事が可能となっている。
【００２０】
また、この洗浄タンク４の後端の開口縁には、前方に突出すると共に、一部切り欠かれた後端フランジ４Ｂが形成されている。また、洗浄タンク４の前端には、この後端フランジ４Ｂと対向位置すると共に、前方に突出する前端フランジ４Ｃが形成されている。そして、これら前端フランジ４Ｃ及び後端フランジ４Ｂに、２〜３ｍｍ程度の編み目状に形成された洗浄タンクフィルター１７を載置している。
【００２１】
また、この洗浄タンク４内には、図７及び図８に示す洗浄ポンプ１８が位置しており、この洗浄ポンプ１８は前記上下洗浄ノズル１４Ａ、１４Ｂに洗浄水を供給するものである。そして、洗浄タンク４の底板４Ａを挟んで機械室３側には、洗浄ポンプ１８を回転駆動させるポンプモータ１９が設けられている。
【００２２】
この洗浄ポンプ１８は、下面に洗浄水を吸い込む吸込口２０Ａを有すると共に、この吸込口２０Ａより上方であって、且つ側面に洗浄水を吐出する吐出口２０Ｂを有し、円筒状をなす樹脂製のケーシング２０と、前記ポンプモータ１９の回転軸１９Ａに取り付けられ、前記吸込口２０Ａより上方に位置し、ケーシング２０内で回転自在なインペラー２１と、前記ケーシング２０の下面に取り付けられ、前記吸込口２０Ａと同位置に穴が形成された上板２２と、この上板２２とは、複数の円筒状スペーサ２３にて所定間隔（例えば約１５ｍｍ）存して設けられた下板２４とよりなる。
【００２３】
そして、前記スペーサ２３間を、例えば、スプーンやフォークなどの被洗浄物が通過できない幅とする事で、被洗浄物が誤って洗浄タンク４内に落下しても、円筒状スペーサ２３に引っかかるため、洗浄ポンプ１８の破損を極力防止する事ができる。
【００２４】
更に、前記インペラー２１は、ケーシング２０の吸込口２０Ａより上方に位置しているため、仮に、被洗浄物の一部、例えばスプーンやフォークの柄などが吸込口２０Ａまで届いてしまったとしても、上板２２と下板２４とで挟まれてインペラー２１まで届かないため、被洗浄物によるインペラー２１の破損を防止する事ができる。従って、別途洗浄ポンプフィルターなどを用意する必要が無くなり、コストダウンを図る事ができる。
【００２５】
また、洗浄ポンプ１８の吸込口２０Ａを下とし、且つ、洗浄ポンプ１８の全周面から洗浄水を吸い込む様にしたため、洗浄タンク４の厚みを薄くし、水位が低い状態であっても、渦の発生を極力防止できると共に、渦が生じてもエアーの吸込を極力防止できる。
【００２６】
更に、前記洗浄タンク底板４Ａの洗浄ポンプ１８取付部分には、前記ポンプモータ１９の挿通が可能なモータ着脱穴２５が形成されており、ポンプモータ１９は、回転軸１９Ａが上側を向く様に、前記下板２４に取り付けられている。従って、前記ポンプモータ１９は、洗浄タンク４の下側に位置する事となる。
【００２７】
即ち、前記洗浄ポンプ１８とポンプモータ１９とは下板２４を挟んで相対向し、ユニット状に形成され、前記下板２４を、前記底板４Ａのモータ着脱穴２５の周縁に軟質ゴムなどの部材で形成された密閉パッキン２６を介して取り付けられている。
【００２８】
この様に、ポンプモータ１９を縦置きとし、このポンプモータ１９の径より大きなモータ着脱穴２５が形成されているため、ポンプモータ１９取り外し時は、そのまま上方に引き上げるだけで良い。
【００２９】
また、洗浄タンク４には、洗浄水の水位を一定に保つため、排水ドレン２７が設けられている。そして、この排水ドレン２７は、前記底板４Ａに形成された排水口を有する排水部２８に取り付けられている。この排水部２８の排水口は、前記底板４Ａに形成されているため、前記洗浄ポンプ１８の吸込口２０Ａより下方に位置する事となる。この他、洗浄タンク４内には、洗浄水を所定温度、例えば約６０℃の温度に保つための洗浄水ヒータ２９が設けられている。
【００３０】
この様に、洗浄ポンプ１８の直下にポンプモータ１９を取り付けて、洗浄タンク４の底板４Ａにモータ着脱穴２５を形成する事で、洗浄ポンプ１８及びポンプモータ１９は、前記洗浄タンクフィルター１７を外して、洗浄タンク４の内側から行う事ができるため、洗浄ポンプ１８関係の着脱作業性が向上する。
【００３１】
また、排水部２８の排水口が洗浄ポンプ１８の吸込口２０Ａより下方に位置しているため、排水ドレン２７を抜き、洗浄タンク４内の洗浄水を排水する場合、洗浄ポンプ１８のケーシング２０内に洗浄水が残ってしまう事を極力防止できる。
【００３２】
次に、図３及び図４、図６に示す如く、すすぎタンク５は、前記洗浄タンク４の下に、少許の間隔を存して位置しており、このすすぎタンク５の左側には前記洗浄ポンプ１８のポンプモータ１９、前側には前記電装箱６が設けられている。
【００３３】
また、このすすぎタンク５にも、外部水道系から給水管３０及び給水電磁弁３１を介して給水された水を、すすぎ水として用いるため、約８０℃の温度に加熱するためのすすぎ水ヒータ３２が設けられている。更に、すすぎタンク５の前側であって、前記電装箱６の横には、このすすぎタンク５内で加熱されたすすぎ水を前記上下すすぎノズル１５Ａ、１５Ｂに供給するためのすすぎポンプ３３が取り付けられている。
【００３４】
この様に、洗浄タンク４を薄型とし、この洗浄タンク４の下に少許の隙間を存して洗浄タンク４より高温となるすすぎタンク５を配置したため、すすぎタンク５からの放熱を受け、洗浄タンク４を加熱する事ができる。
【００３５】
従って、洗浄水ヒータ２９の加熱量を減少させ、省エネルギー効果を奏すると共に、洗浄タンク４とすすぎタンク５とが接触していないため、すすぎタンクの熱がタンク壁面を通じて、洗浄タンクにリークしてしまう事を防止でき、すすぎタンク内のすすぎ水温度が洗浄タンク内の洗浄水温度に引かれて低下してしまう事を防止できる。
【００３６】
尚、洗浄水ヒータ２９の加熱量の減少は、具体的には洗浄水ヒータ２９の通電率を下げるか、設計段階から洗浄水ヒータ２９の熱容量を小さなものとする事である。
【００３７】
更に、洗浄タンク４を薄型とし、この洗浄タンク４の下にすすぎタンク５が収納可能なスペースを形成した事により、洗浄タンク４の排水レベルを高くする事ができ、設置床面から１７５ｍｍものスペースを確保できる。このため、前記排水部２８に設けられた排水管から、設置床面に形成された排水ピットへスムースに排水を導入する事ができ、排水性の向上を図る事となる。
【００３８】
次に、食器洗浄機１の給排水の水配管について、図２乃至図６を参照して説明する。
先ず、前記すすぎタンク５には、前述した如く、水道系の水を導入するための給水管３０が設けられており、この給水管３０は、前記すすぎタンク５の前側に位置している。また、すすぎポンプ３３も給水管３０同様、すすぎタンク５の前側に位置しており、このすすぎポンプ３３にはすすぎポンプ吐出管３４が接続されている。
【００３９】
この様に、給水管３０を食器洗浄機１の前側に配置したため、食器洗浄機１設置時の作業性が良好となると共に、給水管３０がねじれて給水管３０自体や給水管３０を外部水道系に接続する際のナットなどに負荷がかかる事を防止できる。
【００４０】
そして、このすすぎ吐出管３４は、前記洗浄タンク４内に位置し、上すすぎノズル１５Ａにすすぎ水を供給する上すすぎ水供給管３５Ａに接続されている。そして、下すすぎノズル１５Ｂにすすぎ水を供給するため、前記上すすぎ水供給管３５Ａから下すすぎ水供給管３５Ｂが分岐している。
【００４１】
従って、水道系から導入された水は、前記すすぎタンク５内で加熱され、すすぎ水として前記すすぎ水吐出管３４及び上すすぎ水供給管３５Ａを介して上すすぎノズル１５Ａへ、上すすぎ水供給管３５Ａから分岐した下すすぎ水供給管３５Ｂを介して下すすぎノズル１５Ｂへそれぞれ供給される事となる。
【００４２】
一方、洗浄タンク４内には、前記洗ポンプ１８の吐出口２０Ｂに連結され、前記上下洗浄ノズル１４Ａ、１４Ｂに洗浄水を供給するための洗浄水供給管３６が設けられており、この洗浄水供給管３６は１ｍｍ厚のステンレス（ＳＵＳ３０４）にて形成された円筒状をなしている。
【００４３】
この様に、洗浄ポンプ１８を、洗浄タンク４内の洗浄水供給管３６の近傍に設けた事により、洗浄ポンプ１８と洗浄水供給管３６とを最短距離で接続する事ができ、洗浄ポンプ１８の上下洗浄ノズル１４Ａ、１４Ｂへの洗浄水供給能力を大幅に向上させる事ができる。
【００４４】
更に、洗浄ポンプ１８自体が洗浄タンク４内の洗浄水中に位置しているため、従来必要であった洗浄ポンプ１８と洗浄水供給管３６を結ぶ配管及び洗浄タンクと配管との防水シールなどが不要になり、大幅なコストダウンを図る事となる。
【００４５】
また、この洗浄水供給管３６は、洗浄タンク４内の底面４Ａに沿って、洗浄室２の背面のほぼ中央部まで横方向に延在し、洗浄室２の背面を形成する背面板３７に沿って上方に延在する。そして、この洗浄水供給管３６の横には、前記上すすぎ水供給管３５Ａ及び下すすぎ水供給管３５Ｂが位置している。
【００４６】
更に、この洗浄水供給管３６、前記上すすぎ水供給管３５Ａ及び下すすぎ水供給管３５Ｂは、前記洗浄タンク４の後端フランジ４Ｂに形成された切り欠きに位置し、この切り欠きは、前記各管３６、３５Ａ、３５Ｂが挿通した状態の仕切板３８で覆い、洗浄室２と洗浄タンク４とを仕切っている。
【００４７】
尚、本実施形態の仕切板３８は、前記各管３６、３５Ａ、３５Ｂが挿通しているが、前記後端フランジ４Ｂの切り欠きを各管３６、３５Ａ、３５Ｂに嵌合するＵ字状とし、仕切板３８にも各管３６、３５Ａ、３５Ｂに嵌合するＵ字状切り欠きを設けても良い。この場合、仕切板３８の着脱が容易となる。
【００４８】
この様に、洗浄タンクフィルター１７、洗浄タンク４の後端フランジ４Ｂ及び前記仕切板３８とで、洗浄室２と洗浄タンク４とを仕切ることができるため、洗浄室２で被洗浄物の洗浄中に落下する残滓などは確実に前記洗浄タンクフィルター１７で受ける事となる。
【００４９】
更に、前記洗浄水供給管３６は、ラック１２搬入時のラックストッパーとしての機能も有しており、ラックレール１３などにラックストッパーを形成する必要が無いと共に、ラックレール１３後端を必要以上に延在させる必要が無くなるため、コストダウンを図る事ができる。
【００５０】
次に、前記上部パネル７はステンレス製で、図９及び図１０に示す如く、下部が前方に突出する様に傾斜している。そして、図１０に示す洗浄室扉９閉塞時の扉前面４０より、所定量Ａだけ突出している。この様に、上部パネル７を傾斜させた事により、この上部パネル７に設けられているコントロールパネル８が斜め上方を向く事となり、使用者の操作性向上を図る事ができる。更に、上部パネル７の下部を所定量Ａだけ前方に突出させた事により、洗浄室扉９開放時、前記洗浄室２から生じる蒸気がコントロールパネル８にあたる事を極力防止できる。
【００５１】
また、図１１及び図１２には他の実施形態を示し、上部パネル７の下部に、前記洗浄室２側に傾斜する逆傾斜部３９を形成している。この逆傾斜部３９の下端は、図１２に示す如く、洗浄室扉９閉塞時、洗浄室扉９の扉前面４０より洗浄室２側に位置している。
【００５２】
以上の如く構成する事で、洗浄室扉９開放時、前記洗浄室２から生じる蒸気がコントロールパネル８にあたる事を極力防止できると共に、洗浄室扉９を開く事により前記上部パネル７に結露しても、露は逆傾斜部３９を伝って前記洗浄室扉９の扉裏面４１に滴下し、洗浄室２に案内されるため、食器洗浄機１の前側に結露水が滴下する事を極力防止できる。
【００５３】
更に、前記洗浄室扉９の扉上面４２を洗浄室２側に傾斜させる事で、洗浄室扉９の閉塞時であっても、露は逆傾斜部３９を伝って前記洗浄室扉９の扉上面４２に滴下し、洗浄室２側に案内されるため、食器洗浄機１の前側に結露水が滴下する事を極力防止できる。
【００５４】
以上の構成にして、本発明の食器洗浄機１の動作を説明する。
先ず、前記すすぎタンク５への給水から開始される。これは、給水電磁弁３１が開く事で、外部水道系から給水管３０を介してすすぎタンク５内へ所定量の水が給水され、この給水された水を前記すすぎタンク５のすすぎ水ヒータ３２で約８０℃まで加熱する。
【００５５】
約８０℃に昇温したすすぎ水は、前記すすぎポンプ３３にて、すすぎポンプ吐出管３４、上下すすぎ水供給管３５Ａ、３５Ｂを介して前記上下すすぎノズル１５Ａ、１５Ｂに供給される。そして、すすぎ水は、この上下すすぎノズル１５Ａ、１５Ｂから洗浄室２に噴射された後、前記洗浄タンクフィルター１７を通過して洗浄タンク４内に給湯される。
【００５６】
ここで、すすぎタンク５の容量は、洗浄タンク４の容量に比較して小さいため、複数回、上述した動作を繰り返し、前記洗浄タンク４に設けられた水位センサー４３が満水位を検知するまで継続する。更に、洗浄タンク４が満水位を検知するまで、時間がかかるため、その間、前記洗浄水ヒータ２９にて約６０℃の温度に保温する。そして、洗浄タンク４が満水位となったら、図示しない洗剤供給装置にて、洗浄タンク４内に洗剤を投入し、洗浄水とする。
【００５７】
この状態で、被洗浄物の洗浄が可能な状態となるため、前記洗浄室扉９を開放し、図４に示す如く被洗浄物を載置したラック１２を収納する。ここで、ラック１２を洗浄室２の奥側まで押し込む事で、ラック１２後端が前記洗浄水供給管３６に当接し、ラック１２は洗浄可能な適正位置となる。
【００５８】
次いで、前記コントロールパネル８の図示しない洗浄スイッチを押す事で、前記ポンプモータ１９が洗浄ポンプ１８を回転駆動させる。これにより、洗浄タンク４内の洗浄水は、洗浄ポンプ１８の吸込口２０Ａから吸い込まれ、吐出口２０Ｂから前記洗浄水供給管３６に送られ、前記上下洗浄ノズル１４Ａ、１４Ｂに供給される。
【００５９】
そして、この上下洗浄ノズル１４Ａ、１４Ｂが回転しながら洗浄水を噴射し、ラック１２に載置した被洗浄物を洗浄する事となる。噴射された洗浄水は、この後、前記洗浄タンク４の洗浄タンクフィルター１７を通過して洗浄タンク４に戻る事となる。このため、被洗浄物から落ちた大きな残滓などは、洗浄タンクフィルター１７に引っかかり、洗浄タンク４内に戻る事はない。
【００６０】
この様な洗浄動作を所定時間継続した後、すすぎ動作に移行する。
すすぎ動作では、前記ポンプモータ１９を停止し、すでに貯留されている約８０℃のすすぎ水を、前記すすぎポンプ３３を駆動させ、前記上下すすぎノズル１５Ａ、１５Ｂに供給する。
【００６１】
このすすぎポンプ３３を駆動させる事により、すすぎタンク５内のすすぎ水は、前記すすぎポンプ吐出管３４及び上下すすぎ水供給管３５Ａ、３５Ｂを介して上下すすぎノズル１５Ａ、１５Ｂに送られる。
【００６２】
そして、上下すすぎノズル１５Ａ、１５Ｂから噴射されたすすぎ水は、被洗浄物に付着した洗浄水を洗い流し、前記洗浄タンクフィルター１７を通過して洗浄タンク４内に導かれる事となる。
【００６３】
ここで、すすぎ水が洗浄タンク４内に入る事で、洗浄タンク４内の洗浄水は、前記排水ドレン２７の上部から排水部２８に導かれ、この排水部２８に接続された排水管から、設置床面に形成された排水ピットへ排水する。
【００６４】
通常、前記洗浄タンクフィルター１７を通過する小さい残滓などは、水より比重が軽いものが多いため、洗浄タンク４へすすぎ水が入る事により、洗浄水の水面に浮いた残滓も排水ドレン２７から排水ピットへ排出される事となる。
【００６５】
以上の洗浄、すすぎ動作が終了すると、前記洗浄室扉９を開放して被洗浄物を載置したラック１２を引き出す。この時、洗浄室２内は高温のすすぎ水により大量の蒸気が発生しているため、洗浄室扉９の開放と同時に、洗浄室２からこの蒸気が吹き出す事となる。
【００６６】
ここで、前記上部パネル７を、図９及び図１０、図１１及び図１２のいずれかに示す如く形成しておく事で、コントロールパネル８に直接蒸気がかかってしまう事を極力防止できる。
【００６７】
【発明の効果】
以上詳述した如く、本発明の請求項１によると、洗浄水供給管を洗浄室内に配置したため、洗浄水供給管は容易に清掃する事ができる。更に、洗浄タンクフィルター、洗浄タンクのフランジ、洗浄水供給管が挿通する仕切板とによって、洗浄室と洗浄タンクとを仕切る事ができるため、洗浄室の被洗浄物から落ちたある程度大きい残滓は、確実に洗浄タンクフィルターで受ける事ができる。
【００６８】
従って、洗浄水供給管を衛生的に管理でき、メンテナンス作業性や交換作業性の向上を図る事となり、更には、洗浄タンクと洗浄室とを確実に仕切る事ができる。
【００６９】
また、請求項２の発明によると、洗浄水供給管は洗浄室の背面のほぼ中央部に位置しているため、この洗浄水供給管をラックストッパーの代わりとして用いる事ができる。
【００７０】
従って、ラックレールや洗浄室背面に別途ラックストッパーなどを設ける必要が無く、コストダウンを図る事ができる。
【図面の簡単な説明】
【図１】本発明を具備する食器洗浄機の斜視図である。
【図２】本発明を具備する食器洗浄機のパネルを外した状態の正面図である。
【図３】食器洗浄機の正面からの縦側断面図である。
【図４】食器洗浄機の側面からの縦側断面図である。
【図５】洗浄室の平断面図である。
【図６】機械室の平断面図である。
【図７】洗浄ポンプの取付状態を示す洗浄タンクの拡大図である。
【図８】洗浄ポンプの平面図である。
【図９】食器洗浄機の洗浄室扉開時の縦側断面図である。
【図１０】食器洗浄機の洗浄室扉閉塞時の縦側断面図である。
【図１１】他の実施形態を示す食器洗浄機の洗浄室扉開時の縦側断面図である。
【図１２】他の実施形態を示す食器洗浄機の洗浄室扉閉塞時の縦側断面図である。
【符号の説明】
１  食器洗浄機
２  洗浄室
４  洗浄タンク
１４Ａ  上洗浄ノズル
１４Ｂ  下洗浄ノズル
１７  洗浄タンクフィルター
３６  洗浄水供給管
３８  仕切板
【図１】
0004159224.tif 000002
【図２】
0004159224.tif 000003
【図３】
0004159224.tif 000004
【図４】
0004159224.tif 000005
【図５】
0004159224.tif 000006
【図６】
0004159224.tif 000007
【図７】
0004159224.tif 000008
【図８】
0004159224.tif 000009
【図９】
0004159224.tif 000010
【図１０】
0004159224.tif 000011
【図１１】
0004159224.tif 000012
【図１２】
0004159224.tif 000013